(57)【要約】  基地局（１００）に設けられるコードブック（１０２）と同じ内容を有し、プリコーディングのためのビーム選択の情報が設定されるコードブック（１５４）と、無線通信帯域を複数のリソースブロックに分割された受信したデータの当該リソースブロック単位のビームの信号状態を測定するビーム測定部（１５５）と、コードブック（１０２）の情報を検索する際のプリコーディングのための最適なビーム選択を行うためのウェイトを決定し、ウェイトをフィードバック情報として基地局（１００）に送信する選択部（１５６）とを備える。
2008032358.tif 000002
【特許請求の範囲】
【請求項１】
複数の系統のアンテナを用い、プリコーディングＭＩＭＯ（Ｍｕｌｔｉｐｌｅ  Ｉｎｐｕｔ  Ｍｕｌｔｉｐｌｅ  Ｏｕｔｐｕｔ）によるマルチビームのデータを基地局から受信する移動局側の無線通信装置において、
前記基地局に設けられるコードブックと同じ内容を有し、プリコーディングのためのビーム選択の情報が設定されるコードブックと、
無線通信帯域を複数のリソースブロックに分割された受信したデータの当該リソースブロック単位のビームの信号状態に基づいて、前記コードブックの情報を検索する際のプリコーディングのための最適なビーム選択を行うためのウェイトを決定し、当該ウェイトをフィードバック情報として前記基地局に送信する制御手段と、
を備えたことを特徴とする無線通信装置。
【請求項２】
前記制御手段は、複数のリソースブロック全体で前記ビームの信号状態を合成して一つのウェイトを決定することを特徴とする請求項１に記載の無線通信装置。
【請求項３】
前記制御手段は、複数のリソースブロック全体を複数のブロックに分割し、当該分割したブロック単位で前記ビームの信号状態を合成して一つのウェイトを決定することを特徴とする請求項１に記載の無線通信装置。
【請求項４】
前記制御手段は、前記複数のブロックに隣接する他のブロックの所定数のリソースブロックの前記ビームの信号状態についても前記ウェイト決定の情報として合成することを特徴とする請求項３に記載の無線通信装置。
【請求項５】
前記制御手段は、複数のリソースブロック毎に前記ビームの信号状態に基づいたウェイトを一つ決定するものであり、ターゲットとなるリソースブロックを中心として隣接する複数のリソースブロックにおける前記ビームの信号状態を合成して一つのウェイトを決定することを特徴とする請求項１に記載の無線通信装置。
【請求項６】
前記制御手段は、ターゲットとなる前記リソースブロックから離れたリソースブロックほど合成時における重みを低くしたことを特徴とする請求項５に記載の無線通信装置。
【請求項７】
決定された一つの前記ウェイトを複数のリソースブロック全てにコピーし、当該複数のリソースブロックを用いた同じ内容のフィードバック情報を前記基地局に送信する出力手段を備えたことを特徴とする請求項１〜６のいずれか一つに記載の無線通信装置。
【請求項８】
決定された一つの前記ウェイトを複数のリソースブロックの一つあるいは複数にコピーし、当該複数のリソースブロックを用いた複数の同じ内容のフィードバック情報を前記基地局に送信するとともに、残ったリソースブロックを他の情報の伝送に用いる出力手段を備えたことを特徴とする請求項１〜６のいずれか一つに記載の無線通信装置。
【請求項９】
複数の系統のアンテナを用い、プリコーディングＭＩＭＯ（Ｍｕｌｔｉｐｌｅ  Ｉｎｐｕｔ  Ｍｕｌｔｉｐｌｅ  Ｏｕｔｐｕｔ）によるマルチビームをビーム選択して移動局にデータ送信する基地局側の無線通信装置において、
前記移動局に設けられるコードブックと同じ内容を有し、プリコーディングのためのビーム選択の情報が設定されるコードブックと、
前記コードブックを読み出し、所定のビーム選択のためのビームフォーミングを形成する処理を行うプリコーダと、
前記移動局からのフィードバック情報の入力に基づいて、前記コードブックに対し前記ビーム選択の情報を読み出す制御を行う制御手段と、
無線通信帯域を複数のリソースブロックに分割して前記データを送信する送信手段とを備え、
前記制御手段は、前記移動局から前記フィードバック情報を受信し、当該フィードバック情報のなかから前記リソースブロックごとに前記コードブックの情報を検索する際のプリコーディングのための最適なビーム選択を行うためのウェイトを抽出し、複数のリソースブロックの前記ウェイトを合成するフィードバック情報処理手段を備えたことを特徴とする無線通信装置。
【請求項１０】
前記フィードバック情報処理手段は、受信した前記フィードバック情報にウェイトの情報以外の他の情報が含まれている場合には、当該他の情報を分離抽出することを特徴とする請求項９に記載の無線通信装置。
【請求項１１】
前記制御手段は、前記ビーム選択あるいはアンテナ選択を切り替えてデータ送信を制御し、
前記フィードバック情報処理手段は、前記アンテナ選択時には、前記ウェイトの合成処理を行わず、前記リソースブロック毎に独立した処理を行うことを特徴とする請求項９に記載の無線通信装置。
【請求項１２】
前記フィードバック情報は、所定の変調方式で変調して伝送され、
前記フィードバック情報処理手段は、変調信号の信号点をそれぞれ復調および復号した後の前記ウェイトの抽出を合成処理することを特徴とする請求項９に記載の無線通信装置。
【請求項１３】
前記フィードバック情報は、所定の変調方式で変調して伝送され、
前記フィードバック情報処理手段は、変調信号の信号点をそれぞれ復調および復号した後の前記ウェイトの抽出を多数決処理することを特徴とする請求項９に記載の無線通信装置。
【請求項１４】
前記フィードバック情報処理手段は、受信した前記フィードバック情報を所定時間単位で平均化することを特徴とする請求項９〜１３のいずれか一つに記載の無線通信装置。
【請求項１５】
複数の系統のアンテナを用い、プリコーディングＭＩＭＯ（Ｍｕｌｔｉｐｌｅ  Ｉｎｐｕｔ  Ｍｕｌｔｉｐｌｅ  Ｏｕｔｐｕｔ）によるマルチビームのデータを基地局から受信する移動局側の無線通信装置の無線通信方法において、
無線通信帯域を複数のリソースブロックに分割された受信したデータの当該リソースブロック単位のビームの信号状態に基づいて、コードブックの情報を検索する際のプリコーディングのための最適なビーム選択を行うためのウェイトを決定するウェイト決定工程と、
前記ウェイトをフィードバック情報として前記基地局に送信する送信工程と、
を含むことを特徴とする無線通信方法。
【請求項１６】
複数の系統のアンテナを用い、プリコーディングＭＩＭＯ（Ｍｕｌｔｉｐｌｅ  Ｉｎｐｕｔ  Ｍｕｌｔｉｐｌｅ  Ｏｕｔｐｕｔ）によるマルチビームをビーム選択して移動局にデータ送信する基地局側の無線通信装置の無線通信方法において、
コードブックを読み出し、所定のビーム選択のためのビームフォーミングを形成する処理を行うビーム選択工程と、
前記移動局からのフィードバック情報の入力に基づいて、前記コードブックから前記ビーム選択の情報を読み出す制御を行う制御工程と、
無線通信帯域を複数のリソースブロックに分割して前記データを送信する送信工程とを含み、
前記制御工程は、前記移動局から前記フィードバック情報を受信し、当該フィードバック情報のなかから前記リソースブロックごとに前記コードブックの情報を検索する際のプリコーディングのための最適なビーム選択を行うためのウェイトを抽出し、複数のリソースブロックの前記ウェイトを合成するフィードバック情報処理工程を含むことを特徴とする無線通信方法。
【発明の詳細な説明】
【技術分野】
【０００１】
本発明は、ＯＦＤＭＡ（直交周波数分割多元接続）の多元入力多元出力（ＭＩＭＯ：Ｍｕｌｔｉｐｌｅ  Ｉｎｐｕｔ  Ｍｕｌｔｉｐｌｅ  Ｏｕｔｐｕｔ）伝送を行う無線通信装置にかかり、特に、複数のＲＢ（リソースブロック）とコードブックとを用いてプリコーディングＭＩＭＯ伝送を行うものであり、最適なウェイト（プリコーディングのＩＤ）を選定する無線通信装置および無線通信方法に関するものである。
【背景技術】
【０００２】
ＯＦＤＭＡ移動通信システムでは、多元接続ユーザに対し、連続した複数のサブキャリアをひとまとまりにしたリソースブロック単位で、周波数リソースの割り当てが行われる。現在、標準化機関において、３７５ｋＨｚを中心に各リソースブロックの周波数帯域幅が検討されている。具体的には、移動通信環境で生じるフェージングの影響を、マルチユーザスケジューリングを適用して最適なリソース割り当てを行うことで、システムの最大スループットを向上させるものである。これによれば、各リソースブロックの帯域幅は、フェージングの影響が帯域内でほぼ平坦となるように決められ、異なるリソースブロック間ではフェージングが大きく異なることとなる。【０００３】
また、さらなるスループットの向上ならびに通信品質の改善を目的として、プリコーディングＭＩＭＯの検討が進められている。プリコーディングＭＩＭＯでは、通信環境に応じてＭＩＭＯのストリーム数と送信ビームを切り替えることで、ビームフォーミング利得とスループットの双方を最適化することができる（例えば、下記特許文献１参照。）。【０００４】
このほか、ＭＩＭＯによる多重アンテナを使用する広帯域無線接続システムにおいて、多重アンテナのプリコーディングの情報等を下りリンクを介してメッセージ送信し、端末機に指示する構成のものがある（例えば、下記特許文献２参照。）。【０００５】
次に、ＯＦＤＭＡにおけるリソースブロックの概念について説明する。図２１は、ＯＦＤＭＡのリソースブロックを表す図である。例えば、図示のように、ｆ1〜ｆNのサブキャリアは、所定の周波数数単位（３７５ｋＨｚ）で複数（＃１〜＃ｎ：例えばｎ＝１２）のリソースブロック（ＲＢ）に分割される（全周波数範囲５ＭＨｚ＝３７５ｋＨｚ×１２）。従来、受信側の移動局では、ｎ個の各リソースブロックから一つずつ計ｎ個の最適なサブキャリア（ビーム）を選択して基地局側にフィードバックするようになっている。【０００６】
図２２は、従来の無線通信システムを示すブロック図である。基地局１０と、移動局５０にそれぞれ無線通信装置が配置される。基地局１０のプリコーダ１１には、データストリームが入力され、ビーム選択時にはコードブック１２にしたがいビーム選択を行い、複数系統（図では４系統）のデータを出力する。プリコーダ１１の各系統の出力のデータには、直交成分のパイロット信号（直交パイロット）が加算部１３によってそれぞれ加算される。この後送信部１４は、データを変調し、複数のアンテナ１５を介して出力する。制御部１６は、移動局５０から入力されたデータに基づき、ビーム選択時にコードブック１２から読み出す値を指示し、プリコーダ１１に与える。【０００７】
移動局５０は、複数系統（図では２系統）のアンテナ５１を介してデータを受信する。受信したデータは、チャネル推定部５２に入力され、チャネル推定部５２は、送信データ中の直交パイロット成分を用いてチャネルを推定し、復調器５３は、ストリームデータを復調し、復調データを出力する。この移動局５０にも、基地局１０と同じ内容のコードブック５４が設けられている。ビーム測定部５５は、チャネル推定部５２により推定されたチャネル推定値と、コードブック５４の内容とに基づいて、プリコーディングのためのＩＤ（ウェイト）を決定する。この際、ＳＩＮＲ（ＳＩＲ）が最大となるビームを測定し、ｎ個のリソースブロックごとにビームにウェイトを決定する。選択部５６では、各リソースブロックごとにビームのランキングを行い、最適なビームを選択し、フィードバック信号として基地局１０に送信する。ビーム測定部５５および選択部５６は、移動局５０側の無線通信装置における制御手段を構成している。【０００８】
図２３は、従来のウェイト決定方法を示す図である。図２２に示したビーム測定部５５は、ｎ個のリソースブロック（ＲＢ）それぞれで一つ、合計ｎ個のウェイトを決定する。選択部５６は、同様にｎ個のリソースブロック（ＲＢ）に対しそれぞれ決定された合計ｎ個のウェイトを適用して基地局１０に送信する。【０００９】
【特許文献１】特表２００５−５２２０８６号公報
【特許文献２】特開２００６−１４１０１３号公報
【発明の開示】
【発明が解決しようとする課題】
【００１０】
しかしながら、特許文献１に記載されたＭＩＭＯのプリコーディングの技術では、ＯＦＤＭＡにおけるリソースブロックの利用、およびウェイトの決定についての記載がなく、基地局１０におけるＭＩＭＯによるプリコーディングの最適化が行えず、通信の伝送品質向上を図ることができなかった。同様に、特許文献２に記載された技術においても、プリコーディングのウェイト決定に関する構成の記載がなく、基地局１０におけるＭＩＭＯによるプリコーディングの最適化が行えず、通信の伝送品質向上を図ることができない。【００１１】
また、ＭＩＭＯのプリコーディングにおいては、ウェイト決定だけではなく、決定されたウェイトを含むフィードバック信号を移動局５０から基地局１０に対して伝送する際の品質向上が求められている。従来技術（図２２等）に示した構成では、フィードバック情報がリソースブロックごとのウェイトを伝送する構成であるため、基地局１０側では、伝送路の受信環境の変化等によって、フィードバック情報を正確に受信できず、フィードバック情報の伝送品質を向上できなかった。これにより、ＭＩＭＯによるプリコーディングの最適化が行えず、通信の伝送品質を向上できなかった。【００１２】
本発明の無線通信装置および無線通信方法は、上記に鑑みてなされたものであって、プリコーディングＭＩＭＯ伝送を行うにあたり、リソースブロックに対応したウェイトを適切に決定でき、基地局から送信するデータの伝送品質の向上を図ることができることを目的とする。また、移動局により決定されたウェイトを含むフィードバック情報を高品質に基地局に伝送できることを目的とする。さらに、基地局においては、受信したフィードバック情報を適切に処理することで、フィードバック情報に基づくプリコーディングの制御を安定して実行できることを目的とする。
【課題を解決するための手段】
【００１３】
上述した課題を解決し、目的を達成するために、本発明は、複数の系統のアンテナを用い、プリコーディングＭＩＭＯ（Ｍｕｌｔｉｐｌｅ  Ｉｎｐｕｔ  Ｍｕｌｔｉｐｌｅ  Ｏｕｔｐｕｔ）によるマルチビームのデータを基地局から受信する移動局側の無線通信装置において、前記基地局に設けられるコードブックと同じ内容を有し、プリコーディングのためのビーム選択の情報が設定されるコードブックと、無線通信帯域を複数のリソースブロックに分割された受信したデータの当該リソースブロック単位のビームの信号状態に基づいて、前記コードブックの情報を検索する際のプリコーディングのための最適なビーム選択を行うためのウェイトを決定し、当該ウェイトをフィードバック情報として前記基地局に送信する制御手段と、を備えたことを特徴とする。【００１４】
また、本発明は、複数の系統のアンテナを用い、プリコーディングＭＩＭＯ（Ｍｕｌｔｉｐｌｅ  Ｉｎｐｕｔ  Ｍｕｌｔｉｐｌｅ  Ｏｕｔｐｕｔ）によるマルチビームをビーム選択して移動局にデータ送信する基地局側の無線通信装置において、前記移動局に設けられるコードブックと同じ内容を有し、プリコーディングのためのビーム選択の情報が設定されるコードブックと、前記コードブックを読み出し、所定のビーム選択のためのビームフォーミングを形成する処理を行うプリコーダと、前記移動局からのフィードバック情報の入力に基づいて、前記コードブックに対し前記ビーム選択の情報を読み出す制御を行う制御手段と、無線通信帯域を複数のリソースブロックに分割して前記データを送信する送信手段とを備え、前記制御手段は、前記移動局から前記フィードバック情報を受信し、当該フィードバック情報のなかから前記リソースブロックごとに前記コードブックの情報を検索する際のプリコーディングのための最適なビーム選択を行うためのウェイトを抽出し、複数のリソースブロックの前記ウェイトを合成するフィードバック情報処理手段を備えたことを特徴とする。【００１５】
上記構成によれば、移動局側では、複数のリソースブロックに分割された受信したデータのリソースブロック単位のビームの信号状態に基づいて、ビーム選択を行うためのウェイトを決定しフィードバック情報として基地局に送信する。基地局では、フィードバック情報のウェイトに基づいて、最適なコードブックの読み出しを制御するだけの簡単な構成で移動局に送信する最適なビーム選択が行える。
【発明の効果】
【００１６】
本発明にかかる無線通信装置および無線通信方法は、プリコーディングＭＩＭＯ伝送において、リソースブロックに対応したウェイトを適切に決定でき、基地局から送信するデータの伝送品質の向上を図ることができるという効果を奏する。また、移動局により決定されたウェイトを含むフィードバック情報を高品質に基地局に伝送できるという効果を奏する。基地局においては、受信したフィードバック情報を合成等により適切に処理するため、フィードバック情報に基づくプリコーディングの制御を安定して実行できるという効果を奏する。
【図面の簡単な説明】
【００１７】
【図１】図１は、本発明の実施の形態による無線通信装置を示すブロック図である。
【図２】図２は、移動局の無線通信装置の部分構成を示す図である。
【図３】図３は、ウェイト決定の処理内容を示す図である。
【図４】図４は、移動局によるウェイト決定の処理内容を示すフローチャートである。
【図５】図５は、リソースブロックごとのウェイト決定の処理内容を示す図である。
【図６】図６は、リソースブロックごとのウェイト決定の処理内容を示す図である。
【図７】図７は、移動局によるウェイト決定の処理内容を示すフローチャートである。
【図８】図８は、リソースブロックごとのウェイト決定の処理内容を示す図である。
【図９】図９は、リソースブロックごとのウェイト決定の処理内容を示す図である。
【図１０】図１０は、フィードバック情報の伝送方法を示す図である。
【図１１】図１１は、フィードバック情報の伝送方法を示す図である。
【図１２】図１２は、一般的なアンテナ選択時のＢＬＥＲのシミュレーション特性を示す図である。
【図１３】図１３は、ビーム選択時のＢＬＥＲのシミュレーション特定を示す図である。
【図１４】図１４は、アンテナ選択時におけるフィードバック情報の伝送方法を示す図である。
【図１５】図１５は、フィードバック情報の受信処理内容を示すフローチャートである。
【図１６】図１６は、フィードバック情報の受信処理内容を示すフローチャートである。
【図１７】図１７は、フィードバック情報の受信処理内容を示すフローチャートである。
【図１８】図１８は、フィードバック情報の受信処理内容を示すフローチャートである。
【図１９】図１９は、フィードバック情報の受信処理を示す構成のブロック図である。
【図２０】図２０は、フィードバック情報の受信処理を示すフローチャートである。
【図２１】図２１は、ＯＦＤＭＡのリソースブロックを表す図である。
【図２２】図２２は、従来の無線通信システムを示すブロック図である。
【図２３】図２３は、従来のウェイト決定方法を示す図である。
【符号の説明】
【００１８】
１００  基地局
１０１  プリコーダ
１０２  コードブック
１０３  加算部
１０４  送信部
１０５  アンテナ
１０６  制御部
１１０  フィードバック情報処理部
１２１  時間平均化部
１２２  ウェイト制御部
１２３  ストリーム制御部
１５０  移動局
１５１  アンテナ
１５２  チャネル推定部
１５３  復調器
１５４  コードブック
１５５  ビーム測定部
１５６  選択部
【発明を実施するための最良の形態】
【００１９】
（実施の形態）
以下に、本発明にかかる無線通信装置および無線通信方法の実施の形態を図面に基づいて詳細に説明する。【００２０】
図１は、本発明の実施の形態による無線通信装置を示すブロック図である。この図１には、無線通信システムを構成する基地局１００の無線通信装置と、移動局１５０の無線通信装置を記載している。【００２１】
基地局１００のプリコーダ１０１には、データストリームが入力され、ビーム選択時にはコードブック１０２にしたがいビームフォーミングのためのウェイト乗算を行い、複数系統（図では４系統）のデータを出力する。コードブック１０２には、マルチビームを形成するビームに対応したウェイトを各系統のデータに与える複数通り（系統数の組み合わせ数に対応）の設定値を記憶している。【００２２】
プリコーダ１０１の各系統の出力の信号には、直交成分のパイロット信号（直交パイロット）が加算部１０３によってそれぞれ加算される。この後送信部１０４は、データを無線周波数に変調し、複数のアンテナ１０５を介して出力する。制御部１０６は、移動局１５０から送信されたフィードバック情報（フィードバック信号）に基づき、ビーム選択時にコードブック１０２から読み出す値を指示し、プリコーダ１０１に与える。これにより、移動局１５０に対して最適にビームフォーミングされたデータを送信できる。フィードバック情報処理部１１０は、移動局１５０から送信されるフィードバック情報に対し、後述する受信処理を行う。【００２３】
移動局１５０は、複数系統（図では２系統）のアンテナ１５１を介して信号を受信する。受信した信号は、チャネル推定部１５２に入力され、チャネル推定部１５２は、送信信号中の直交パイロット成分を用いてチャネルを推定し、復調器１５３は、ストリームデータを復調し、復調データを出力する。この移動局１５０にも、基地局１００と同じ内容のコードブック１５４が設けられている。ビーム測定部１５５は、チャネル推定部１５２により推定されたチャネル推定値と、コードブック１５４の内容とに基づいて、複数のリソースブロックごとにそれぞれプリコーディングのためのＩＤ（ウェイト）を決定する。この際、例えば、ＳＩＮＲ（ＳＩＲ）が最大となるビームを測定し、ｎ個のリソースブロックごとにビームにウェイトを決定する。選択部１５６では、複数のリソースブロックごとのビームに対して決定されたウェイトを合成し、合成後のウェイトを複数のリソースブロックに適用（後述するコピー処理等）し、フィードバック情報として基地局１００に送信する。【００２４】
図２は、移動局の無線通信装置の部分構成を示す図である。図１に示した移動局１５０のビーム測定部１５５および選択部１５６の詳細構成を示している。ビーム測定部１５５は、チャネル推定値算出部１５５ａと、ＳＩＮＲ推定部１５５ｂとにより構成されている。チャネル推定値算出部１５５ａは、チャネル推定部１５２から出力されるチャネル推定値Ｈと、コードブック１５４に設定されたウェイトＷとに基づいて、各ビームのチャネル推定値ＨＷを算出する。ＳＩＮＲ推定部１５５ｂは、各ビームのチャネル推定値ＨＷにより各ビームのレベル（ＳＩＮＲ）を推定する。ＳＩＮＲに限らず、信号電力を用いて推定することもできる。ビーム測定部１５５は、複数のリソースブロックの各ビームのレベルを選択部１５６に出力する。選択部１５６は、ウェイト決定処理部１５６ａと、ウェイト出力部１５６ｂとを有する。【００２５】
（ビーム選択に用いるウェイト決定方法の概要）
図３は、ウェイト決定の処理内容を示す図である。ウェイト決定処理部１５６ａは、複数（＃１〜＃ｎ）のリソースブロックの各ビームのレベルを合成して、基地局１００において行うビーム選択に用いられる、一つのプリコーディングのウェイトＷＧを決定する。ウェイト出力部１５６ｂは、ウェイト決定処理部１５６ａにより合成された一つのウェイトを一つあるいは複数のリソースブロックに適用（コピー処理）し、フィードバック情報として基地局１００に送信する。図３の例では、複数（＃１〜＃ｎ）のリソースブロックには、それぞれ同じ値のウェイトＷＧがコピーされ、伝送路上では冗長化された状態で基地局１００に送信される。ウェイト出力部１５６ｂには、ストリーム決定用のしきい値が入力され、フィードバック情報は、ビーム選択のための送信ビームＩＤと、ストリーム数選択の情報と、上記のウェイトとを含む。【００２６】
（ウェイト決定方法１）
図４は、移動局によるウェイト決定の処理内容を示すフローチャートである。はじめに、移動局１５０は、基地局１００からの信号を受信する（ステップＳ４０１）。次に、ビーム測定部１５５のチャネル推定値算出部１５５ａは、送信アンテナごとのチャネル推定値を算出し（ステップＳ４０２）、送信ビームごとのチャネル推定値へ変換する（ステップＳ４０３）。そして、ＳＩＮＲ推定部１５５ｂは、各リソースブロックのＳＩＮＲ推定値を算出する（ステップＳ４０４）。次に、全てのリソースブロック（ＲＢ）のビームのレベルを平均したＳＩＮＲ推定値を算出する（ステップＳ４０５）。【００２７】
次に、選択部１５６のウェイト決定処理部１５６ａは、ＳＩＮＲ最大のビームをウェイトに決定する（ステップＳ４０６）。図３に示すように、全てのリソースブロック（ＲＢ）のなかから一つのウェイトを決定する。そして、ウェイト出力部１５６ｂは、ステップＳ４０６で決定された一つのウェイトを各リソースブロック（ＲＢ）にフィードバック情報としてコピーし（ステップＳ４０７）、複数（＃１〜＃ｎ）のリソースブロック（ＲＢ）のフィードバック情報として基地局１００に送信する（ステップＳ４０８）。【００２８】
図５は、リソースブロックごとのウェイト決定の処理内容を示す図である。図４の処理内容を示したものである。無線通信を行う周波数帯域（例えば帯域幅２０ＭＨｚ）を複数のグループに分割し（図示の例では帯域幅５ＭＨｚ単位の４グループ）、各グループごとにプリコーディングのための一つのウェイトＷＧを決定する。例えば、グループ１では、複数（＃１〜＃ｎ）のリソースブロックの各ビームのレベルを合成して、一つのウェイトＷＧ１が決定される。同様に、グループ２〜４でもそれぞれウェイトＷＧ２〜ＷＧ４が決定される。そして、グループごとに一つ決定されたウェイトＷＧ１〜ＷＧ４をグループの各リソースブロックにコピーして、フィードバック情報とする。【００２９】
上記構成によれば、無線通信の周波数帯域を複数のグループに分割し、それぞれのグループを複数のリソースブロックで分割する。そして、移動局１５０は、グループごとにプリコーディングのための一つのウェイトを合成処理により決定してフィードバック情報とする。このように、複数のリソースブロックでまとめてウェイト決定し、同じウェイトを用いることにより、従来の如くそれぞれのリソースブロックごとにウェイト決定するよりも良好なプリコーディングの特性を得ることができる。これは、プリコーディングのためのウェイトがリソースブロックの周波数帯域よりも大きな範囲でコヒーレントとなることに基づく。また、後述するが、複数のリソースブロックで同じウェイトを用いたフィードバック情報を伝送路上で冗長して伝送されるので、基地局１００で受信するフィードバック情報の信号誤りを低減できる。【００３０】
（ウェイト決定方法２）
図６は、リソースブロックごとのウェイト決定の処理内容を示す図である。図５の処理内容と異なる点は、グループの境界付近では、隣接する他のグループの境界に位置するリソースブロックの情報（ビームのレベル）も合成の対象としたものである。無線通信を行う周波数帯域（例えば帯域幅２０ＭＨｚ）を複数のグループに分割し（図示の例では帯域幅５ＭＨｚ単位の４グループ）、各グループごとにプリコーディングのための一つのウェイトＷＧを決定する。【００３１】
ここで、例えば、グループ２では、複数（＃１〜＃ｎ）のリソースブロックの各ビームのレベルを合成するとともに、隣接する異なるグループ、すなわち、グループ１とグループ３の境界付近の一つ（図示の例）あるいは複数のビームのレベルを合成の対象として、一つのウェイトＷＧ２を決定する。同様に、グループ１、およびグループ３，４でもそれぞれウェイトＷＧ１，ＷＧ３，ＷＧ４を決定する。そして、グループごとに一つ決定されたウェイトＷＧ１〜ＷＧ４をグループの各リソースブロックにコピーして、フィードバック情報とする。【００３２】
上記構成によれば、図５の方法のようにグループ内で閉じて求めたウェイト決定に比して、より多くの情報を用いてウェイト決定することができるため、ビーム測定部１５５におけるビーム測定の精度を向上することができるようになる。【００３３】
（ウェイト決定方法３）
図７は、移動局によるウェイト決定の処理内容を示すフローチャートである。はじめに、移動局１５０は、基地局１００からの信号を受信する（ステップＳ７０１）。次に、ビーム測定部１５５のチャネル推定値算出部１５５ａは、送信アンテナごとのチャネル推定値を算出し（ステップＳ７０２）、送信ビームごとのチャネル推定値へ変換する（ステップＳ７０３）。そして、ＳＩＮＲ推定部１５５ｂは、各リソースブロックのＳＩＮＲ推定値を算出する（ステップＳ７０４）。次に、ターゲットとなる一つのリソースブロック（ターゲットＲＢ）を中心として予め定められた複数のリソースブロック（ＲＢ）のビームのレベルを平均したＳＩＮＲ推定値を算出する（ステップＳ７０５）。【００３４】
次に、選択部１５６のウェイト決定処理部１５６ａは、ＳＩＮＲ最大のビームをウェイトに決定する（ステップＳ７０６）。これにより、ある一つのリソースブロックについて一つのウェイトが決定される。この後、全てのリソースブロック（ＲＢ）に対するウェイトの決定が終了したか判断する（ステップＳ７０７）。全てのリソースブロックに対するウェイト決定の処理が終了していなければ（ステップＳ７０７：Ｎｏ）、ステップＳ７０５の処理を再度実行し、異なるリソースブロックに対するウェイトを決定していく。そして、全てのリソースブロックに対するウェイト決定の処理が終了すれば（ステップＳ７０７：Ｙｅｓ）、ウェイト出力部１５６ｂは、ステップＳ７０６で決定されたウェイトを該当するリソースブロック（ＲＢ）にフィードバック情報として適用し、複数（＃１〜＃ｎ）のリソースブロック（ＲＢ）のフィードバック情報を基地局１００に送信する（ステップＳ７０８）。【００３５】
図８は、リソースブロックごとのウェイト決定の処理内容を示す図である。図７の処理内容を示したものである。図示のように、このウェイト決定方法３では、上述したグループの概念はない。図示の例では、既にリソースブロック＃１〜＃３までのウェイトは決定され、リソースブロック＃４のウェイトを決定する際の状態を示している。【００３６】
リソースブロック＃４のプリコーディングのウェイトは、ターゲットとなるリソースブロック＃４を中心として隣接する計５つのリソースブロック（＃２〜＃６）におけるビームのレベルを平均して決定する。決定に用いるリソースブロックの数は任意に設定できる。同様に、リソースブロック＃５のプリコーディングのウェイトは、このリソースブロック＃５を中心として隣接する計５つのリソースブロック（＃３〜＃７）におけるビームのレベルを平均して決定する。このように、プリコーディングのウェイトの決定は、ターゲットとなるリソースブロックを順次シフトさせて行う。これにより、複数（＃１〜＃ｎ）のリソースブロックそれぞれのウェイトＷＧ１〜ＷＧｎが決定され、フィードバック情報とする。【００３７】
上記構成では、複数のリソースブロックから一つのウェイトを合成により求める点では決定方法１，２と同じである反面、決定されたウェイトを各リソースブロックにコピーせずにそれぞれ算出する点では決定方法１，２と相違する。そして、この構成によれば、グループ内でのウェイトの決定の制約がなく、周波数帯域が近接する所定の範囲におけるウェイト決定が行えるため、ビーム測定部１５５におけるビーム測定の精度を向上でき、各リソースブロックのフィードバック情報の精度を向上できるようになる。【００３８】
（ウェイト決定方法４）
図９は、リソースブロックごとのウェイト決定の処理内容を示す図である。図８の処理内容と異なる点は、決定しようとするリソースブロックの情報については重みを増し、決定しようとするリソースブロックから離れたリソースブロックにつれて情報の重みを小さくしたものである。【００３９】
例えば、図９に示すリソースブロック＃４のウェイト決定時には、中心となる＃４のビームのレベルに対する重みの係数ｋは高い。また、一番離れた＃２と＃６のビームのレベルに対する重みの係数ｋは低い。中間に位置する＃３と＃５（不図示）のビームのレベルに対する重みの係数ｋは中間程度の値とする。これにより、本来必要な中心となる＃４のリソースブロックのビームのレベルの割合を高くしつつ、隣接するリソースブロックのビームのレベルも考慮したウェイトを決定することができる。これにより、周波数帯域が近接する所定の範囲におけるウェイト決定が行えるため、ビーム測定部１５５におけるビーム測定の精度を向上でき、さらに、各リソースブロックのフィードバック情報の精度を向上できるようになる。【００４０】
（フィードバック情報の伝送方法１）
次に、移動局１５０から基地局１００に送信するフィードバック情報の伝送方法について説明する。図１０は、フィードバック情報の伝送方法を示す図である。上述した各ウェイト決定方法により、各リソースブロックごとのウェイトがフィードバック情報として移動局１５０から送信され、伝送路を介して基地局１００のフィードバック情報処理部１１０が受信し、受信処理を行う。【００４１】
ここで、上述したウェイト決定方法１，２のように、各リソースブロック＃１〜＃ｎのウェイトがコピーにより同じ値である場合には、伝送路上で同じ内容のフィードバック情報が数ｎで冗長した形で伝送されることになる。一般的に移動局１５０からの上りリンク（ＵＬ）の送信電力は低いため、情報伝送の品質は下りリンク（ＤＬ）に比して低下する。このため、基地局１００により受信したフィードバック情報に誤りが生じる可能性がある。しかし、図１０に示すように、複数のリソースブロック＃１〜＃ｎを介して同じフィードバック情報を冗長化して伝送させることにより、同じ内容のフィードバック情報の情報量を増やす形で伝送品質を向上できるようになる。【００４２】
さらに、基地局１００では、受信したフィードバック情報を合成することにより、あるリソースブロックで情報の誤りが生じたとしてもこの誤りを解消することができるようになる。なお、基地局１００のフィードバック情報処理部１１０が行うフィードバック情報の受信処理（合成処理）では、誤りを検出したリソースブロックの情報を不使用としたり、複数のフィードバック情報の内容を多数決で選定する等の処方を用いる（詳細は後述する）。この伝送方法１では、上述したウェイト決定方法３，４のように、各リソースブロック＃１〜＃ｎのウェイトが異なる値である場合でも同様に適用することができる。【００４３】
（フィードバック情報の伝送方法２）
図１１は、フィードバック情報の伝送方法を示す図である。上述した伝送方法１では、リソースブロックの数に対応した数のフィードバック情報を送信する構成としたが、図１１に示すように、フィードバック情報は、少なくとも一つ以上のリソースブロックを使用して送信する構成とし、空いたリソースブロックはデータ通信等の他の情報の伝送に使用する構成とすることもできる。フィードバック情報の伝送品質を向上させるには、２つ以上のリソースブロックを使用して同じウェイトのフィードバック情報を冗長化して伝送させれば良い。なお、この伝送方法２を用いるときは、予め基地局１００と移動局１５０との間でウェイトの伝送に用いるリソースブロックの設定、あるいは他の情報の伝送に用いるリソースブロックの設定を行っておく。基地局１００のフィードバック情報処理部１１０は、受信したフィードバック情報のなかからウェイトの情報と、他の情報とを分離し、それぞれを抽出する。【００４４】
（基地局における受信処理−ビーム選択とアンテナ選択の切り替え）
上述したウェイト決定や、フィードバック情報の伝送に関する構成は、いずれも基地局１００がプリコーディングＭＩＭＯ伝送により送信するビームを選択（ビーム選択）する場合に適用される。ここで、ビーム選択と、アンテナ選択について説明する。【００４５】
図１に示した基地局１００のアンテナ１０５のアンテナ数をＮｔ、移動局１５０のアンテナ１５１のアンテナ数Ｎｒとすると、基地局１００のほうが多数のアンテナ１０５を配置しやすい（Ｎｔ≧Ｎｒ）。ＭＩＭＯ伝送では、移動局１５０のアンテナ数Ｎｒよりも少ないストリーム数Ｎｓを送信することになる。マルチユーザスケジューリングを併用するＯＦＤＭＡでは、リソースブロックごとにチャネルの状態を求め、フィードバック情報としている。【００４６】
（アンテナ選択について）
送信のアンテナ数Ｎｔよりも少ないストリームＮｓを送信する方法として、送信するアンテナの選択がある。アンテナ選択は、フェージングに起因する送信選択ダイバーシチ効果が得られ、リソースブロックごとのアンテナ選択が行われる。このため、基地局１００では、リソースブロックごとのフィードバック情報を受信することになる。【００４７】
（ビーム選択について）
プリコーディングＭＩＭＯ伝送では、送信ビーム選択を行って、送信のアンテナ数よりも少ないビーム数で送信する。送信ビーム選択では、ビームフォーミングの効果が主となり、上述したフェージングに起因するダイバーシチ効果とは異なったものとなる。ビームフォーミングの際のビーム方向は、複数のリソースブロックに渡ってほぼ同一方向であるため、送信データの特性改善が行え、また、上述したように、フィードバック情報自体の情報量を削減できる利点を有する。【００４８】
上記のように、送信アンテナ数よりも少ないストリーム数のデータを送信する場合、アンテナ選択による方法と、ビーム選択による方法がある。複数のリソースブロックに着目すると、フェージングの影響が異なることから、リソースブロックごとのアンテナ選択が望ましいと考えられる。しかしながら、リソースブロックごとのビーム選択が、最適なビーム選択の単位とは限らない。このため、リソースブロック（３７５ｋＨｚ）単位の選択と、５ＭＨｚ帯域全体での選択と、のそれぞれについて特性をシミュレーションした。【００４９】
図１２は、一般的なアンテナ選択時のＢＬＥＲ（ブロックエラーレート）のシミュレーション特性を示す図である。１ストリームＱＰＳＫと、１ストリーム１６ＱＡＭと、２ストリーム１６ＱＡＭの各変調方式について示してある。図示のように、アンテナ選択では、リソースブロックの手法を用いない５ＭＨｚ選択時（図中実線■，●，▲）に比して、リソースブロック選択時（図中点線□，○，△）のほうが特性が良好である。なおこの図には、基準となる特性として、１×２（送信アンテナ１、受信アンテナ２で、１ストリームを伝送）と、２×２（送信アンテナ２、受信アンテナ２で、２ストリームを伝送）も、あわせて示している（図中１点鎖線）。【００５０】
図１３は、ビーム選択時のＢＬＥＲのシミュレーション特定を示す図である。１ストリームＱＰＳＫと、１ストリーム１６ＱＡＭと、２ストリーム１６ＱＡＭの各変調方式について示してある。図示のように、ビーム選択では、リソースブロック選択（図中点線□，○，△）よりも複数リソースブロック全てを用いた５ＭＨｚ選択時（図中実線■，●，▲）のほうが、特性が良好となった。なおこの図には、基準となる特性として、１×２（送信アンテナ１、受信アンテナ２で、１ストリームを伝送）と、２×２（送信アンテナ２、受信アンテナ２で、２ストリームを伝送）も、あわせて示している（図中１点鎖線）。【００５１】
そして、図１２に示すアンテナ選択では、リソースブロックごとの選択を行ったほうが、送信選択ダイバーシチ効果により、最大１ｄＢ程度良い特性となった。逆に、図１３に示すビーム選択では、５ＭＨｚ帯域全体での選択のほうが、リソースブロックごとのビーム選択よりも、最大約１ｄＢ特性が良いことがわかる。これはビーム選択のコヒーレント帯域が、リソースブロックの周波数幅よりも広いため、複数のリソースブロックのＳＩＮＲを平均して最適なビームを選択することで、高精度なビーム選択が行えたためであると考えられる。【００５２】
言い換えると、アンテナ選択では多少選択精度が悪くても、エネルギーは到達しているため、通信品質の低下が起こるだけであるが、ビーム選択で選択を誤ると、エネルギー自体がほとんど到達しなくなり、より高精度なビーム選択が求められる。なお、ビーム選択の高精度化は、上述した本発明のウェイト決定およびフィードバック情報の伝送の手法により、達成できている。したがって、基地局１００では、ビーム選択だけを行うのではなく、アンテナ選択も行えるよう、両者を切り替えできることが望ましい。【００５３】
図１４は、アンテナ選択時におけるフィードバック情報の伝送方法を示す図である。既存の手法を用いたフィードバック情報の伝送方法である。図示のように、移動局１５０は、リソースブロックごとにビーム測定を行ってフィードバック情報を生成し、伝送路を介して基地局１００に伝送する。伝送路上のフィードバック情報の内容は、リソースブロックごとに異なる。基地局１００は、アンテナ選択時には、リソースブロックごとに独立してフィードバック情報を処理する。【００５４】
一方、ビーム選択時には、基地局１００は、図１０および図１１に示したように、複数のリソースブロックごとに伝送されてきたフィードバック情報を合成処理する。図１０と図１４とを対比すると、基地局１００におけるフィードバック情報の処理が独立であるか合成であるかの点で異なる。このように、基地局１００は、受信したリソースブロックごとのフィードバック情報の受信処理を、アンテナ選択時にはリソースブロックごとに独立して行う一方、ビーム選択時には、リソースブロックごとに送られたフィードバック情報を合成処理するように、機能を切り替えることにより、双方の利点を活かし、伝送品質を向上させたデータ送信が行えるようになる。【００５５】
（フィードバック情報の受信処理１）
図１５は、フィードバック情報の受信処理内容を示すフローチャートである。上述した移動局１５０でのウェイト決定方法１（図４参照）に対応して図１に示した基地局１００のフィードバック情報処理部１１０が行う合成処理を示している。フィードバック情報は、ＱＡＭ等の変調方式により複数の変調信号点を有して送信される構成である。これにより、フィードバック情報を多重化し、スループットを向上できる。【００５６】
はじめに、移動局１５０からのフィードバック情報を受信する（ステップＳ１５０１）。次に、各リソースブロック（ＲＢ）のフィードバック情報の変調信号点を抽出する（ステップＳ１５０２）。そして、全て、または複数のリソースブロック（ＲＢ）の変調信号点を合成する（ステップＳ１５０３）。【００５７】
この後、合成信号点の復調および復号を行い（ステップＳ１５０４）、フィードバック値の判定を行う（ステップＳ１５０５）。この際、合成したリソースブロックで一つのウェイトを判定する。そして、合成したリソースブロック（ＲＢ）の送信ウェイトに適用し、データ送信する（ステップＳ１５０６）。具体的には、制御部１０６は、判定したウェイトをコードブック１０２に適用し、合成したリソースブロック（ＲＢ）の送信ビームのビーム選択を行い、移動局１５０に向けてデータ送信を行う。【００５８】
（フィードバック情報の受信処理２）
図１６は、フィードバック情報の受信処理内容を示すフローチャートである。上述した移動局１５０でのウェイト決定方法３（図７参照）に対応して図１に示した基地局１００のフィードバック情報処理部１１０が行う合成処理を示している。【００５９】
フィードバック情報は、ＱＡＭ等の変調方式により複数の変調信号点を有して送信される構成である。はじめに、移動局１５０からのフィードバック情報を受信する（ステップＳ１６０１）。次に、各リソースブロック（ＲＢ）のフィードバック情報の変調信号点を抽出する（ステップＳ１６０２）。そして、ターゲットのリソースブロック（ＲＢ）の変調信号点を合成する（ステップＳ１６０３）。この後、合成信号点の復調および復号を行い（ステップＳ１６０４）、フィードバック値の判定を行う（ステップＳ１６０５）。この際、合成したリソースブロックで一つのウェイトを判定する。【００６０】
そして、ターゲットとなるリソースブロック（ＲＢ）の全てに対する処理が終了か判断し（ステップＳ１６０６）、終了していなければ（ステップＳ１６０６：Ｎｏ）、ステップＳ１６０３に戻る。ターゲットとなるリソースブロック（ＲＢ）の全てに対する処理が終了すれば（ステップＳ１６０６：Ｙｅｓ）、合成したリソースブロック（ＲＢ）の送信ウェイトに適用し、データ送信する（ステップＳ１６０７）。具体的には、制御部１０６は、判定したウェイトをコードブック１０２に適用し、合成したリソースブロック（ＲＢ）の送信ビームのビーム選択を行い、移動局１５０に向けてデータ送信を行う。【００６１】
（フィードバック情報の受信処理３）
図１７は、フィードバック情報の受信処理内容を示すフローチャートである。上述した移動局１５０でのウェイト決定方法１（図４参照）に対応して図１に示した基地局１００のフィードバック情報処理部１１０が行う多数決処理を示している。【００６２】
フィードバック情報は、ＱＡＭ等の変調方式により複数の変調信号点を有して送信される構成である。はじめに、移動局１５０からのフィードバック情報を受信する（ステップＳ１７０１）。次に、各リソースブロック（ＲＢ）のフィードバック情報の変調信号点を抽出する（ステップＳ１７０２）。そして、リソースブロック（ＲＢ）ごとの信号点の復調および復号を行う（ステップＳ１７０３）。【００６３】
この後、全て、または複数のリソースブロック（ＲＢ）の復号結果を、多数決でフィードバック値の判定を行う（ステップＳ１７０４）。この際、多数決で一つのウェイトを判定する。そして、合成したリソースブロック（ＲＢ）の送信ウェイトに適用し、データ送信する（ステップＳ１７０５）。具体的には、制御部１０６は、判定したウェイトをコードブック１０２に適用し、合成したリソースブロック（ＲＢ）の送信ビームのビーム選択を行い、移動局１５０に向けてデータ送信を行う。【００６４】
（フィードバック情報の受信処理４）
図１８は、フィードバック情報の受信処理内容を示すフローチャートである。上述した移動局１５０でのウェイト決定方法３（図７参照）に対応して図１に示した基地局１００のフィードバック情報処理部１１０が行う多数決処理を示している。【００６５】
フィードバック情報は、ＱＡＭ等の変調方式により複数の変調信号点を有して送信される構成である。はじめに、移動局１５０からのフィードバック情報を受信する（ステップＳ１８０１）。次に、各リソースブロック（ＲＢ）のフィードバック情報の変調信号点を抽出する（ステップＳ１８０２）。そして、リソースブロック（ＲＢ）ごとの信号点の復調および復号を行う（ステップＳ１８０３）。この後、ターゲットのリソースブロック（ＲＢ）を中心とした複数のリソースブロック（ＲＢ）の復号結果を、多数決でフィードバック値の判定を行う（ステップＳ１８０４）。この際、リソースブロックごとに多数決で一つのウェイトを判定する。【００６６】
そして、ターゲットとなるリソースブロック（ＲＢ）の全てに対する処理が終了か判断し（ステップＳ１８０５）、終了していなければ（ステップＳ１８０５：Ｎｏ）、ステップＳ１８０４に戻る。ターゲットとなるリソースブロック（ＲＢ）の全てに対する処理が終了すれば（ステップＳ１８０５：Ｙｅｓ）、合成したリソースブロック（ＲＢ）の送信ウェイトに適用し、データ送信する（ステップＳ１８０６）。具体的には、制御部１０６は、判定したウェイトをコードブック１０２に適用し、合成したリソースブロック（ＲＢ）の送信ビームのビーム選択を行い、移動局１５０に向けてデータ送信を行う。【００６７】
以上説明した受信処理のうち、合成処理によれば、伝送路を介して伝送される複数のフィードバック情報を合成するため、フィードバック情報の信号誤りを低減できるようになる。また、多数決処理によれば、伝送路を介して伝送される複数のフィードバック情報の内容の正確性を向上できるようになる。【００６８】
（フィードバック情報の受信処理５）
図１９は、フィードバック情報の受信処理を示す構成のブロック図である。基地局１００における制御部１０６により、フィードバック情報を時間平均化する構成を示したものである。制御部１０６に設けられるフィードバック情報処理部１１０は、上述したフィードバック情報の受信処理１〜４を実行する。そして、図示のように、フィードバック情報処理部１１０の出力を受ける他の構成としては、時間平均化部１２１と、ウェイト制御部１２２と、ストリーム制御部１２３とを有する。【００６９】
時間平均化部１２１は、フィードバック情報処理部１１０の出力を時間平均化する。具体的には、フィードバック情報として受信処理した後のフィードバック値（ウェイト）を所定時間単位で平均化する。ウェイト制御部１２２は、時間平均化部１２１で時間平均化されたウェイトを適用してコードブック１０２の読み出しを制御する。ストリーム制御部１２３は、フィードバック情報に含まれるストリーム数に基づいて、送信するデータストリームのストリーム数をシングル（ストリーム数１）またはマルチ（ストリーム数２以上）に制御する。【００７０】
図２０は、フィードバック情報の受信処理を示すフローチャートである。上述した受信処理１〜４による受信処理のステップ（概要をステップＳ２００１〜Ｓ２００４に記載）を実行した後、得られたフィードバック値を時間平均化処理する（ステップＳ２００５）。そして、合成したリソースブロック（ＲＢ）の送信ウェイトに適用し、データ送信する（ステップＳ２００６）。【００７１】
このように、時間平均化処理することにより、フィードバック情報の内容を所定時間単位で判定するため、伝送路の伝送状態の変動を受けにくくなり、コードブック１０２の読み出しに適用するウェイトの値を正確に得ることができ、ビーム選択の精度を向上できるようになる。【００７２】
以上説明した各実施の形態では、複数のユーザのデータをマルチビームでビーム選択して送信するプリコーディングＭＩＭＯの構成を例に説明した。これに限らず、ある一人のユーザのデータをシングルストリームで入力させ、ビームフォーミングして送信する構成にも適用することができる。また、ＭＩＭＯの適用が最も有力視されている多元接続方式のＯＦＤＭＡについて、そのリソースブロック（ＲＢ）である周波数ブロックを例に説明した。これに限らず、その他の多元接続方式であるＦＤＭＡ（周波数分割多元接続）、ＴＤＭＡ（時分割多元接続）、ＣＤＭＡ（符号分割多元接続）などにもリソースブロック（ＲＢ）の概念を拡張することができ、そのときのリソースブロック（ＲＢ）に対応するものとして、ＦＤＭＡでは周波数、ＴＤＭＡではタイムスロット、ＣＤＭＡでは拡散符号として、適用することができる。
【産業上の利用可能性】
【００７３】
以上のように、本発明にかかる無線通信装置および無線通信方法は、ビーム選択を行い送信する無線通信システムに有用であり、特に、プリコーディングＭＩＭＯによる無線通信装置に適している。
【図１】
2008032358.tif 000003
【図２】
2008032358.tif 000004
【図３】
2008032358.tif 000005
【図４】
2008032358.tif 000006
【図５】
2008032358.tif 000007
【図６】
2008032358.tif 000008
【図７】
2008032358.tif 000009
【図８】
2008032358.tif 000010
【図９】
2008032358.tif 000011
【図１０】
2008032358.tif 000012
【図１１】
2008032358.tif 000013
【図１２】
2008032358.tif 000014
【図１３】
2008032358.tif 000015
【図１４】
2008032358.tif 000016
【図１５】
2008032358.tif 000017
【図１６】
2008032358.tif 000018
【図１７】
2008032358.tif 000019
【図１８】
2008032358.tif 000020
【図１９】
2008032358.tif 000021
【図２０】
2008032358.tif 000022
【図２１】
2008032358.tif 000023
【図２２】
2008032358.tif 000024
【図２３】
2008032358.tif 000025
【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
複数の系統のアンテナを用い、プリコーディングＭＩＭＯ（Ｍｕｌｔｉｐｌｅ  Ｉｎｐｕｔ  Ｍｕｌｔｉｐｌｅ  Ｏｕｔｐｕｔ）によるマルチビームのデータを基地局から受信する移動局側の無線通信装置において、
前記基地局に設けられるコードブックと同じ内容を有し、プリコーディングのためのビーム選択の情報が設定されるコードブックと、
無線通信帯域を複数のリソースブロックに分割された受信したデータの当該リソースブロック単位のビームの信号状態に基づいて、前記コードブックの情報を検索する際のプリコーディングのための最適なビーム選択を行うためのウェイトを決定し、当該ウェイトをフィードバック情報として前記基地局に送信する制御手段と、
を備えたことを特徴とする無線通信装置。
【請求項２】
前記制御手段は、複数のリソースブロック全体で前記ビームの信号状態を合成して一つのウェイトを決定することを特徴とする請求項１に記載の無線通信装置。
【請求項３】
前記制御手段は、複数のリソースブロック全体を複数のブロックに分割し、当該分割したブロック単位で前記ビームの信号状態を合成して一つのウェイトを決定することを特徴とする請求項１に記載の無線通信装置。
【請求項４】
前記制御手段は、前記複数のブロックに隣接する他のブロックの所定数のリソースブロックの前記ビームの信号状態についても前記ウェイト決定の情報として合成することを特徴とする請求項３に記載の無線通信装置。
【請求項５】
前記制御手段は、複数のリソースブロック毎に前記ビームの信号状態に基づいたウェイトを一つ決定するものであり、ターゲットとなるリソースブロックを中心として隣接する複数のリソースブロックにおける前記ビームの信号状態を合成して一つのウェイトを決定することを特徴とする請求項１に記載の無線通信装置。
【請求項６】
前記制御手段は、ターゲットとなる前記リソースブロックから離れたリソースブロックほど合成時における重みを低くしたことを特徴とする請求項５に記載の無線通信装置。
【請求項７】
複数の系統のアンテナを用い、プリコーディングＭＩＭＯ（Ｍｕｌｔｉｐｌｅ  Ｉｎｐｕｔ  Ｍｕｌｔｉｐｌｅ  Ｏｕｔｐｕｔ）によるマルチビームをビーム選択して移動局にデータ送信する基地局側の無線通信装置において、
前記移動局に設けられるコードブックと同じ内容を有し、プリコーディングのためのビーム選択の情報が設定されるコードブックと、
前記コードブックを読み出し、所定のビーム選択のためのビームフォーミングを形成する処理を行うプリコーダと、
前記移動局からのフィードバック情報の入力に基づいて、前記コードブックに対し前記ビーム選択の情報を読み出す制御を行う制御手段と、
無線通信帯域を複数のリソースブロックに分割して前記データを送信する送信手段とを備え、
前記制御手段は、前記移動局から前記フィードバック情報を受信し、当該フィードバック情報のなかから前記リソースブロックごとに前記コードブックの情報を検索する際のプリコーディングのための最適なビーム選択を行うためのウェイトを抽出し、複数のリソースブロックの前記ウェイトを合成するフィードバック情報処理手段を備えたことを特徴とする無線通信装置。
【請求項８】
前記制御手段は、前記ビーム選択あるいはアンテナ選択を切り替えてデータ送信を制御し、
前記フィードバック情報処理手段は、前記アンテナ選択時には、前記ウェイトの合成処理を行わず、前記リソースブロック毎に独立した処理を行うことを特徴とする請求項７に記載の無線通信装置。
【請求項９】
前記フィードバック情報は、所定の変調方式で変調して伝送され、
前記フィードバック情報処理手段は、変調信号の信号点をそれぞれ復調および復号した後の前記ウェイトの抽出を合成処理することを特徴とする請求項７に記載の無線通信装置。
【請求項１０】
前記フィードバック情報は、所定の変調方式で変調して伝送され、
前記フィードバック情報処理手段は、変調信号の信号点をそれぞれ復調および復号した後の前記ウェイトの抽出を多数決処理することを特徴とする請求項７に記載の無線通信装置。
【請求項１１】
複数の系統のアンテナを用い、プリコーディングＭＩＭＯ（Ｍｕｌｔｉｐｌｅ  Ｉｎｐｕｔ  Ｍｕｌｔｉｐｌｅ  Ｏｕｔｐｕｔ）によるマルチビームをビーム選択して移動局にデータ送信する基地局側の無線通信装置であって、前記移動局に設けられるコードブックと同じ内容を有し、プリコーディングのためのビーム選択の情報が設定されるコードブックと、前記コードブックを読み出し、所定のビーム選択のためのビームフォーミングを形成する処理を行うプリコーダと、を備える無線通信装置の無線通信方法において、
前記移動局からのフィードバック情報の入力に基づいて、前記コードブックに対し前記ビーム選択の情報を読み出す制御を行う制御工程と、
無線通信帯域を複数のリソースブロックに分割して前記データを送信する送信工程と、を含み、
前記制御工程は、前記移動局から前記フィードバック情報を受信し、当該フィードバック情報のなかから前記リソースブロックごとに前記コードブックの情報を検索する際のプリコーディングのための最適なビーム選択を行うためのウェイトを抽出し、複数のリソースブロックの前記ウェイトを合成するフィードバック情報処理工程を含み、
前記フィードバック情報は、所定の変調方式で変調して伝送され、
前記フィードバック情報処理手段は、変調信号の信号点をそれぞれ復調および復号した後の前記ウェイトの抽出を合成処理することを特徴とする無線通信方法。
【手続補正２】
【補正対象書類名】明細書
【補正対象項目名】全文
【補正方法】変更
【補正の内容】
【発明の詳細な説明】
【技術分野】
【０００１】
本発明は、ＯＦＤＭＡ（直交周波数分割多元接続）の多元入力多元出力（ＭＩＭＯ：Ｍｕｌｔｉｐｌｅ  Ｉｎｐｕｔ  Ｍｕｌｔｉｐｌｅ  Ｏｕｔｐｕｔ）伝送を行う無線通信装置にかかり、特に、複数のＲＢ（リソースブロック）とコードブックとを用いてプリコーディングＭＩＭＯ伝送を行うものであり、最適なウェイト（プリコーディングのＩＤ）を選定する無線通信装置および無線通信方法に関するものである。
【背景技術】
【０００２】
ＯＦＤＭＡ移動通信システムでは、多元接続ユーザに対し、連続した複数のサブキャリアをひとまとまりにしたリソースブロック単位で、周波数リソースの割り当てが行われる。現在、標準化機関において、３７５ｋＨｚを中心に各リソースブロックの周波数帯域幅が検討されている。具体的には、移動通信環境で生じるフェージングの影響を、マルチユーザスケジューリングを適用して最適なリソース割り当てを行うことで、システムの最大スループットを向上させるものである。これによれば、各リソースブロックの帯域幅は、フェージングの影響が帯域内でほぼ平坦となるように決められ、異なるリソースブロック間ではフェージングが大きく異なることとなる。
【０００３】
また、さらなるスループットの向上ならびに通信品質の改善を目的として、プリコーディングＭＩＭＯの検討が進められている。プリコーディングＭＩＭＯでは、通信環境に応じてＭＩＭＯのストリーム数と送信ビームを切り替えることで、ビームフォーミング利得とスループットの双方を最適化することができる（例えば、下記特許文献１参照。）。
【０００４】
このほか、ＭＩＭＯによる多重アンテナを使用する広帯域無線接続システムにおいて、多重アンテナのプリコーディングの情報等を下りリンクを介してメッセージ送信し、端末機に指示する構成のものがある（例えば、下記特許文献２参照。）。
【０００５】
次に、ＯＦＤＭＡにおけるリソースブロックの概念について説明する。図２１は、ＯＦＤＭＡのリソースブロックを表す図である。例えば、図示のように、ｆ１〜ｆＮのサブキャリアは、所定の周波数数単位（３７５ｋＨｚ）で複数（＃１〜＃ｎ：例えばｎ＝１２）のリソースブロック（ＲＢ）に分割される（全周波数範囲５ＭＨｚ＝３７５ｋＨｚ×１２）。従来、受信側の移動局では、ｎ個の各リソースブロックから一つずつ計ｎ個の最適なサブキャリア（ビーム）を選択して基地局側にフィードバックするようになっている。
【０００６】
図２２は、従来の無線通信システムを示すブロック図である。基地局１０と、移動局５０にそれぞれ無線通信装置が配置される。基地局１０のプリコーダ１１には、データストリームが入力され、ビーム選択時にはコードブック１２にしたがいビーム選択を行い、複数系統（図では４系統）のデータを出力する。プリコーダ１１の各系統の出力のデータには、直交成分のパイロット信号（直交パイロット）が加算部１３によってそれぞれ加算される。この後送信部１４は、データを変調し、複数のアンテナ１５を介して出力する。制御部１６は、移動局５０から入力されたデータに基づき、ビーム選択時にコードブック１２から読み出す値を指示し、プリコーダ１１に与える。
【０００７】
移動局５０は、複数系統（図では２系統）のアンテナ５１を介してデータを受信する。受信したデータは、チャネル推定部５２に入力され、チャネル推定部５２は、送信データ中の直交パイロット成分を用いてチャネルを推定し、復調器５３は、ストリームデータを復調し、復調データを出力する。この移動局５０にも、基地局１０と同じ内容のコードブック５４が設けられている。ビーム測定部５５は、チャネル推定部５２により推定されたチャネル推定値と、コードブック５４の内容とに基づいて、プリコーディングのためのＩＤ（ウェイト）を決定する。この際、ＳＩＮＲ（ＳＩＲ）が最大となるビームを測定し、ｎ個のリソースブロックごとにビームにウェイトを決定する。選択部５６では、各リソースブロックごとにビームのランキングを行い、最適なビームを選択し、フィードバック信号として基地局１０に送信する。ビーム測定部５５および選択部５６は、移動局５０側の無線通信装置における制御手段を構成している。
【０００８】
図２３は、従来のウェイト決定方法を示す図である。図２２に示したビーム測定部５５は、ｎ個のリソースブロック（ＲＢ）それぞれで一つ、合計ｎ個のウェイトを決定する。選択部５６は、同様にｎ個のリソースブロック（ＲＢ）に対しそれぞれ決定された合計ｎ個のウェイトを適用して基地局１０に送信する。
【０００９】
【特許文献１】特表２００５−５２２０８６号公報
【特許文献２】特開２００６−１４１０１３号公報
【発明の開示】
【発明が解決しようとする課題】
【００１０】
しかしながら、特許文献１に記載されたＭＩＭＯのプリコーディングの技術では、ＯＦＤＭＡにおけるリソースブロックの利用、およびウェイトの決定についての記載がなく、基地局１０におけるＭＩＭＯによるプリコーディングの最適化が行えず、通信の伝送品質向上を図ることができなかった。同様に、特許文献２に記載された技術においても、プリコーディングのウェイト決定に関する構成の記載がなく、基地局１０におけるＭＩＭＯによるプリコーディングの最適化が行えず、通信の伝送品質向上を図ることができない。
【００１１】
また、ＭＩＭＯのプリコーディングにおいては、ウェイト決定だけではなく、決定されたウェイトを含むフィードバック信号を移動局５０から基地局１０に対して伝送する際の品質向上が求められている。従来技術（図２２等）に示した構成では、フィードバック情報がリソースブロックごとのウェイトを伝送する構成であるため、基地局１０側では、伝送路の受信環境の変化等によって、フィードバック情報を正確に受信できず、フィードバック情報の伝送品質を向上できなかった。これにより、ＭＩＭＯによるプリコーディングの最適化が行えず、通信の伝送品質を向上できなかった。
【００１２】
本発明の無線通信装置および無線通信方法は、上記に鑑みてなされたものであって、プリコーディングＭＩＭＯ伝送を行うにあたり、リソースブロックに対応したウェイトを適切に決定でき、基地局から送信するデータの伝送品質の向上を図ることができることを目的とする。また、移動局により決定されたウェイトを含むフィードバック情報を高品質に基地局に伝送できることを目的とする。さらに、基地局においては、受信したフィードバック情報を適切に処理することで、フィードバック情報に基づくプリコーディングの制御を安定して実行できることを目的とする。
【課題を解決するための手段】
【００１３】
上述した課題を解決し、目的を達成するために、本発明は、複数の系統のアンテナを用い、プリコーディングＭＩＭＯ（Ｍｕｌｔｉｐｌｅ  Ｉｎｐｕｔ  Ｍｕｌｔｉｐｌｅ  Ｏｕｔｐｕｔ）によるマルチビームのデータを基地局から受信する移動局側の無線通信装置において、前記基地局に設けられるコードブックと同じ内容を有し、プリコーディングのためのビーム選択の情報が設定されるコードブックと、無線通信帯域を複数のリソースブロックに分割された受信したデータの当該リソースブロック単位のビームの信号状態に基づいて、前記コードブックの情報を検索する際のプリコーディングのための最適なビーム選択を行うためのウェイトを決定し、当該ウェイトをフィードバック情報として前記基地局に送信する制御手段と、を備えたことを特徴とする。
【００１４】
また、本発明は、複数の系統のアンテナを用い、プリコーディングＭＩＭＯ（Ｍｕｌｔｉｐｌｅ  Ｉｎｐｕｔ  Ｍｕｌｔｉｐｌｅ  Ｏｕｔｐｕｔ）によるマルチビームをビーム選択して移動局にデータ送信する基地局側の無線通信装置において、前記移動局に設けられるコードブックと同じ内容を有し、プリコーディングのためのビーム選択の情報が設定されるコードブックと、前記コードブックを読み出し、所定のビーム選択のためのビームフォーミングを形成する処理を行うプリコーダと、前記移動局からのフィードバック情報の入力に基づいて、前記コードブックに対し前記ビーム選択の情報を読み出す制御を行う制御手段と、無線通信帯域を複数のリソースブロックに分割して前記データを送信する送信手段とを備え、前記制御手段は、前記移動局から前記フィードバック情報を受信し、当該フィードバック情報のなかから前記リソースブロックごとに前記コードブックの情報を検索する際のプリコーディングのための最適なビーム選択を行うためのウェイトを抽出し、複数のリソースブロックの前記ウェイトを合成するフィードバック情報処理手段を備えたことを特徴とする。
【００１５】
上記構成によれば、移動局側では、複数のリソースブロックに分割された受信したデータのリソースブロック単位のビームの信号状態に基づいて、ビーム選択を行うためのウェイトを決定しフィードバック情報として基地局に送信する。基地局では、フィードバック情報のウェイトに基づいて、最適なコードブックの読み出しを制御するだけの簡単な構成で移動局に送信する最適なビーム選択が行える。
【発明の効果】
【００１６】
本発明にかかる無線通信装置および無線通信方法は、プリコーディングＭＩＭＯ伝送において、リソースブロックに対応したウェイトを適切に決定でき、基地局から送信するデータの伝送品質の向上を図ることができるという効果を奏する。また、移動局により決定されたウェイトを含むフィードバック情報を高品質に基地局に伝送できるという効果を奏する。基地局においては、受信したフィードバック情報を合成等により適切に処理するため、フィードバック情報に基づくプリコーディングの制御を安定して実行できるという効果を奏する。
【発明を実施するための最良の形態】
【００１７】
（実施の形態）
以下に、本発明にかかる無線通信装置および無線通信方法の実施の形態を図面に基づいて詳細に説明する。
【００１８】
図１は、本発明の実施の形態による無線通信装置を示すブロック図である。この図１には、無線通信システムを構成する基地局１００の無線通信装置と、移動局１５０の無線通信装置を記載している。
【００１９】
基地局１００のプリコーダ１０１には、データストリームが入力され、ビーム選択時にはコードブック１０２にしたがいビームフォーミングのためのウェイト乗算を行い、複数系統（図では４系統）のデータを出力する。コードブック１０２には、マルチビームを形成するビームに対応したウェイトを各系統のデータに与える複数通り（系統数の組み合わせ数に対応）の設定値を記憶している。
【００２０】
プリコーダ１０１の各系統の出力の信号には、直交成分のパイロット信号（直交パイロット）が加算部１０３によってそれぞれ加算される。この後送信部１０４は、データを無線周波数に変調し、複数のアンテナ１０５を介して出力する。制御部１０６は、移動局１５０から送信されたフィードバック情報（フィードバック信号）に基づき、ビーム選択時にコードブック１０２から読み出す値を指示し、プリコーダ１０１に与える。これにより、移動局１５０に対して最適にビームフォーミングされたデータを送信できる。フィードバック情報処理部１１０は、移動局１５０から送信されるフィードバック情報に対し、後述する受信処理を行う。
【００２１】
移動局１５０は、複数系統（図では２系統）のアンテナ１５１を介して信号を受信する。受信した信号は、チャネル推定部１５２に入力され、チャネル推定部１５２は、送信信号中の直交パイロット成分を用いてチャネルを推定し、復調器１５３は、ストリームデータを復調し、復調データを出力する。この移動局１５０にも、基地局１００と同じ内容のコードブック１５４が設けられている。ビーム測定部１５５は、チャネル推定部１５２により推定されたチャネル推定値と、コードブック１５４の内容とに基づいて、複数のリソースブロックごとにそれぞれプリコーディングのためのＩＤ（ウェイト）を決定する。この際、例えば、ＳＩＮＲ（ＳＩＲ）が最大となるビームを測定し、ｎ個のリソースブロックごとにビームにウェイトを決定する。選択部１５６では、複数のリソースブロックごとのビームに対して決定されたウェイトを合成し、合成後のウェイトを複数のリソースブロックに適用（後述するコピー処理等）し、フィードバック情報として基地局１００に送信する。
【００２２】
図２は、移動局の無線通信装置の部分構成を示す図である。図１に示した移動局１５０のビーム測定部１５５および選択部１５６の詳細構成を示している。ビーム測定部１５５は、チャネル推定値算出部１５５ａと、ＳＩＮＲ推定部１５５ｂとにより構成されている。チャネル推定値算出部１５５ａは、チャネル推定部１５２から出力されるチャネル推定値Ｈと、コードブック１５４に設定されたウェイトＷとに基づいて、各ビームのチャネル推定値ＨＷを算出する。ＳＩＮＲ推定部１５５ｂは、各ビームのチャネル推定値ＨＷにより各ビームのレベル（ＳＩＮＲ）を推定する。ＳＩＮＲに限らず、信号電力を用いて推定することもできる。ビーム測定部１５５は、複数のリソースブロックの各ビームのレベルを選択部１５６に出力する。選択部１５６は、ウェイト決定処理部１５６ａと、ウェイト出力部１５６ｂとを有する。
【００２３】
（ビーム選択に用いるウェイト決定方法の概要）
図３は、ウェイト決定の処理内容を示す図である。ウェイト決定処理部１５６ａは、複数（＃１〜＃ｎ）のリソースブロックの各ビームのレベルを合成して、基地局１００において行うビーム選択に用いられる、一つのプリコーディングのウェイトＷＧを決定する。ウェイト出力部１５６ｂは、ウェイト決定処理部１５６ａにより合成された一つのウェイトを一つあるいは複数のリソースブロックに適用（コピー処理）し、フィードバック情報として基地局１００に送信する。図３の例では、複数（＃１〜＃ｎ）のリソースブロックには、それぞれ同じ値のウェイトＷＧがコピーされ、伝送路上では冗長化された状態で基地局１００に送信される。ウェイト出力部１５６ｂには、ストリーム決定用のしきい値が入力され、フィードバック情報は、ビーム選択のための送信ビームＩＤと、ストリーム数選択の情報と、上記のウェイトとを含む。
【００２４】
（ウェイト決定方法１）
図４は、移動局によるウェイト決定の処理内容を示すフローチャートである。はじめに、移動局１５０は、基地局１００からの信号を受信する（ステップＳ４０１）。次に、ビーム測定部１５５のチャネル推定値算出部１５５ａは、送信アンテナごとのチャネル推定値を算出し（ステップＳ４０２）、送信ビームごとのチャネル推定値へ変換する（ステップＳ４０３）。そして、ＳＩＮＲ推定部１５５ｂは、各リソースブロックのＳＩＮＲ推定値を算出する（ステップＳ４０４）。次に、全てのリソースブロック（ＲＢ）のビームのレベルを平均したＳＩＮＲ推定値を算出する（ステップＳ４０５）。
【００２５】
次に、選択部１５６のウェイト決定処理部１５６ａは、ＳＩＮＲ最大のビームをウェイトに決定する（ステップＳ４０６）。図３に示すように、全てのリソースブロック（ＲＢ）のなかから一つのウェイトを決定する。そして、ウェイト出力部１５６ｂは、ステップＳ４０６で決定された一つのウェイトを各リソースブロック（ＲＢ）にフィードバック情報としてコピーし（ステップＳ４０７）、複数（＃１〜＃ｎ）のリソースブロック（ＲＢ）のフィードバック情報として基地局１００に送信する（ステップＳ４０８）。
【００２６】
図５は、リソースブロックごとのウェイト決定の処理内容を示す図である。図４の処理内容を示したものである。無線通信を行う周波数帯域（例えば帯域幅２０ＭＨｚ）を複数のグループに分割し（図示の例では帯域幅５ＭＨｚ単位の４グループ）、各グループごとにプリコーディングのための一つのウェイトＷＧを決定する。例えば、グループ１では、複数（＃１〜＃ｎ）のリソースブロックの各ビームのレベルを合成して、一つのウェイトＷＧ１が決定される。同様に、グループ２〜４でもそれぞれウェイトＷＧ２〜ＷＧ４が決定される。そして、グループごとに一つ決定されたウェイトＷＧ１〜ＷＧ４をグループの各リソースブロックにコピーして、フィードバック情報とする。
【００２７】
上記構成によれば、無線通信の周波数帯域を複数のグループに分割し、それぞれのグループを複数のリソースブロックで分割する。そして、移動局１５０は、グループごとにプリコーディングのための一つのウェイトを合成処理により決定してフィードバック情報とする。このように、複数のリソースブロックでまとめてウェイト決定し、同じウェイトを用いることにより、従来の如くそれぞれのリソースブロックごとにウェイト決定するよりも良好なプリコーディングの特性を得ることができる。これは、プリコーディングのためのウェイトがリソースブロックの周波数帯域よりも大きな範囲でコヒーレントとなることに基づく。また、後述するが、複数のリソースブロックで同じウェイトを用いたフィードバック情報を伝送路上で冗長して伝送されるので、基地局１００で受信するフィードバック情報の信号誤りを低減できる。
【００２８】
（ウェイト決定方法２）
図６は、リソースブロックごとのウェイト決定の処理内容を示す図である。図５の処理内容と異なる点は、グループの境界付近では、隣接する他のグループの境界に位置するリソースブロックの情報（ビームのレベル）も合成の対象としたものである。無線通信を行う周波数帯域（例えば帯域幅２０ＭＨｚ）を複数のグループに分割し（図示の例では帯域幅５ＭＨｚ単位の４グループ）、各グループごとにプリコーディングのための一つのウェイトＷＧを決定する。
【００２９】
ここで、例えば、グループ２では、複数（＃１〜＃ｎ）のリソースブロックの各ビームのレベルを合成するとともに、隣接する異なるグループ、すなわち、グループ１とグループ３の境界付近の一つ（図示の例）あるいは複数のビームのレベルを合成の対象として、一つのウェイトＷＧ２を決定する。同様に、グループ１、およびグループ３，４でもそれぞれウェイトＷＧ１，ＷＧ３，ＷＧ４を決定する。そして、グループごとに一つ決定されたウェイトＷＧ１〜ＷＧ４をグループの各リソースブロックにコピーして、フィードバック情報とする。
【００３０】
上記構成によれば、図５の方法のようにグループ内で閉じて求めたウェイト決定に比して、より多くの情報を用いてウェイト決定することができるため、ビーム測定部１５５におけるビーム測定の精度を向上することができるようになる。
【００３１】
（ウェイト決定方法３）
図７は、移動局によるウェイト決定の処理内容を示すフローチャートである。はじめに、移動局１５０は、基地局１００からの信号を受信する（ステップＳ７０１）。次に、ビーム測定部１５５のチャネル推定値算出部１５５ａは、送信アンテナごとのチャネル推定値を算出し（ステップＳ７０２）、送信ビームごとのチャネル推定値へ変換する（ステップＳ７０３）。そして、ＳＩＮＲ推定部１５５ｂは、各リソースブロックのＳＩＮＲ推定値を算出する（ステップＳ７０４）。次に、ターゲットとなる一つのリソースブロック（ターゲットＲＢ）を中心として予め定められた複数のリソースブロック（ＲＢ）のビームのレベルを平均したＳＩＮＲ推定値を算出する（ステップＳ７０５）。
【００３２】
次に、選択部１５６のウェイト決定処理部１５６ａは、ＳＩＮＲ最大のビームをウェイトに決定する（ステップＳ７０６）。これにより、ある一つのリソースブロックについて一つのウェイトが決定される。この後、全てのリソースブロック（ＲＢ）に対するウェイトの決定が終了したか判断する（ステップＳ７０７）。全てのリソースブロックに対するウェイト決定の処理が終了していなければ（ステップＳ７０７：Ｎｏ）、ステップＳ７０５の処理を再度実行し、異なるリソースブロックに対するウェイトを決定していく。そして、全てのリソースブロックに対するウェイト決定の処理が終了すれば（ステップＳ７０７：Ｙｅｓ）、ウェイト出力部１５６ｂは、ステップＳ７０６で決定されたウェイトを該当するリソースブロック（ＲＢ）にフィードバック情報として適用し、複数（＃１〜＃ｎ）のリソースブロック（ＲＢ）のフィードバック情報を基地局１００に送信する（ステップＳ７０８）。
【００３３】
図８は、リソースブロックごとのウェイト決定の処理内容を示す図である。図７の処理内容を示したものである。図示のように、このウェイト決定方法３では、上述したグループの概念はない。図示の例では、既にリソースブロック＃１〜＃３までのウェイトは決定され、リソースブロック＃４のウェイトを決定する際の状態を示している。
【００３４】
リソースブロック＃４のプリコーディングのウェイトは、ターゲットとなるリソースブロック＃４を中心として隣接する計５つのリソースブロック（＃２〜＃６）におけるビームのレベルを平均して決定する。決定に用いるリソースブロックの数は任意に設定できる。同様に、リソースブロック＃５のプリコーディングのウェイトは、このリソースブロック＃５を中心として隣接する計５つのリソースブロック（＃３〜＃７）におけるビームのレベルを平均して決定する。このように、プリコーディングのウェイトの決定は、ターゲットとなるリソースブロックを順次シフトさせて行う。これにより、複数（＃１〜＃ｎ）のリソースブロックそれぞれのウェイトＷＧ１〜ＷＧｎが決定され、フィードバック情報とする。
【００３５】
上記構成では、複数のリソースブロックから一つのウェイトを合成により求める点では決定方法１，２と同じである反面、決定されたウェイトを各リソースブロックにコピーせずにそれぞれ算出する点では決定方法１，２と相違する。そして、この構成によれば、グループ内でのウェイトの決定の制約がなく、周波数帯域が近接する所定の範囲におけるウェイト決定が行えるため、ビーム測定部１５５におけるビーム測定の精度を向上でき、各リソースブロックのフィードバック情報の精度を向上できるようになる。
【００３６】
（ウェイト決定方法４）
図９は、リソースブロックごとのウェイト決定の処理内容を示す図である。図８の処理内容と異なる点は、決定しようとするリソースブロックの情報については重みを増し、決定しようとするリソースブロックから離れたリソースブロックにつれて情報の重みを小さくしたものである。
【００３７】
例えば、図９に示すリソースブロック＃４のウェイト決定時には、中心となる＃４のビームのレベルに対する重みの係数ｋは高い。また、一番離れた＃２と＃６のビームのレベルに対する重みの係数ｋは低い。中間に位置する＃３と＃５（不図示）のビームのレベルに対する重みの係数ｋは中間程度の値とする。これにより、本来必要な中心となる＃４のリソースブロックのビームのレベルの割合を高くしつつ、隣接するリソースブロックのビームのレベルも考慮したウェイトを決定することができる。これにより、周波数帯域が近接する所定の範囲におけるウェイト決定が行えるため、ビーム測定部１５５におけるビーム測定の精度を向上でき、さらに、各リソースブロックのフィードバック情報の精度を向上できるようになる。
【００３８】
（フィードバック情報の伝送方法１）
次に、移動局１５０から基地局１００に送信するフィードバック情報の伝送方法について説明する。図１０は、フィードバック情報の伝送方法を示す図である。上述した各ウェイト決定方法により、各リソースブロックごとのウェイトがフィードバック情報として移動局１５０から送信され、伝送路を介して基地局１００のフィードバック情報処理部１１０が受信し、受信処理を行う。
【００３９】
ここで、上述したウェイト決定方法１，２のように、各リソースブロック＃１〜＃ｎのウェイトがコピーにより同じ値である場合には、伝送路上で同じ内容のフィードバック情報が数ｎで冗長した形で伝送されることになる。一般的に移動局１５０からの上りリンク（ＵＬ）の送信電力は低いため、情報伝送の品質は下りリンク（ＤＬ）に比して低下する。このため、基地局１００により受信したフィードバック情報に誤りが生じる可能性がある。しかし、図１０に示すように、複数のリソースブロック＃１〜＃ｎを介して同じフィードバック情報を冗長化して伝送させることにより、同じ内容のフィードバック情報の情報量を増やす形で伝送品質を向上できるようになる。
【００４０】
さらに、基地局１００では、受信したフィードバック情報を合成することにより、あるリソースブロックで情報の誤りが生じたとしてもこの誤りを解消することができるようになる。なお、基地局１００のフィードバック情報処理部１１０が行うフィードバック情報の受信処理（合成処理）では、誤りを検出したリソースブロックの情報を不使用としたり、複数のフィードバック情報の内容を多数決で選定する等の処方を用いる（詳細は後述する）。この伝送方法１では、上述したウェイト決定方法３，４のように、各リソースブロック＃１〜＃ｎのウェイトが異なる値である場合でも同様に適用することができる。
【００４１】
（フィードバック情報の伝送方法２）
図１１は、フィードバック情報の伝送方法を示す図である。上述した伝送方法１では、リソースブロックの数に対応した数のフィードバック情報を送信する構成としたが、図１１に示すように、フィードバック情報は、少なくとも一つ以上のリソースブロックを使用して送信する構成とし、空いたリソースブロックはデータ通信等の他の情報の伝送に使用する構成とすることもできる。フィードバック情報の伝送品質を向上させるには、２つ以上のリソースブロックを使用して同じウェイトのフィードバック情報を冗長化して伝送させれば良い。なお、この伝送方法２を用いるときは、予め基地局１００と移動局１５０との間でウェイトの伝送に用いるリソースブロックの設定、あるいは他の情報の伝送に用いるリソースブロックの設定を行っておく。基地局１００のフィードバック情報処理部１１０は、受信したフィードバック情報のなかからウェイトの情報と、他の情報とを分離し、それぞれを抽出する。
【００４２】
（基地局における受信処理−ビーム選択とアンテナ選択の切り替え）
上述したウェイト決定や、フィードバック情報の伝送に関する構成は、いずれも基地局１００がプリコーディングＭＩＭＯ伝送により送信するビームを選択（ビーム選択）する場合に適用される。ここで、ビーム選択と、アンテナ選択について説明する。
【００４３】
図１に示した基地局１００のアンテナ１０５のアンテナ数をＮｔ、移動局１５０のアンテナ１５１のアンテナ数Ｎｒとすると、基地局１００のほうが多数のアンテナ１０５を配置しやすい（Ｎｔ≧Ｎｒ）。ＭＩＭＯ伝送では、移動局１５０のアンテナ数Ｎｒよりも少ないストリーム数Ｎｓを送信することになる。マルチユーザスケジューリングを併用するＯＦＤＭＡでは、リソースブロックごとにチャネルの状態を求め、フィードバック情報としている。
【００４４】
（アンテナ選択について）
送信のアンテナ数Ｎｔよりも少ないストリームＮｓを送信する方法として、送信するアンテナの選択がある。アンテナ選択は、フェージングに起因する送信選択ダイバーシチ効果が得られ、リソースブロックごとのアンテナ選択が行われる。このため、基地局１００では、リソースブロックごとのフィードバック情報を受信することになる。
【００４５】
（ビーム選択について）
プリコーディングＭＩＭＯ伝送では、送信ビーム選択を行って、送信のアンテナ数よりも少ないビーム数で送信する。送信ビーム選択では、ビームフォーミングの効果が主となり、上述したフェージングに起因するダイバーシチ効果とは異なったものとなる。ビームフォーミングの際のビーム方向は、複数のリソースブロックに渡ってほぼ同一方向であるため、送信データの特性改善が行え、また、上述したように、フィードバック情報自体の情報量を削減できる利点を有する。
【００４６】
上記のように、送信アンテナ数よりも少ないストリーム数のデータを送信する場合、アンテナ選択による方法と、ビーム選択による方法がある。複数のリソースブロックに着目すると、フェージングの影響が異なることから、リソースブロックごとのアンテナ選択が望ましいと考えられる。しかしながら、リソースブロックごとのビーム選択が、最適なビーム選択の単位とは限らない。このため、リソースブロック（３７５ｋＨｚ）単位の選択と、５ＭＨｚ帯域全体での選択と、のそれぞれについて特性をシミュレーションした。
【００４７】
図１２は、一般的なアンテナ選択時のＢＬＥＲ（ブロックエラーレート）のシミュレーション特性を示す図である。１ストリームＱＰＳＫと、１ストリーム１６ＱＡＭと、２ストリーム１６ＱＡＭの各変調方式について示してある。図示のように、アンテナ選択では、リソースブロックの手法を用いない５ＭＨｚ選択時（図中実線■，●，▲）に比して、リソースブロック選択時（図中点線□，○，△）のほうが特性が良好である。なおこの図には、基準となる特性として、１×２（送信アンテナ１、受信アンテナ２で、１ストリームを伝送）と、２×２（送信アンテナ２、受信アンテナ２で、２ストリームを伝送）も、あわせて示している（図中１点鎖線）。
【００４８】
図１３は、ビーム選択時のＢＬＥＲのシミュレーション特定を示す図である。１ストリームＱＰＳＫと、１ストリーム１６ＱＡＭと、２ストリーム１６ＱＡＭの各変調方式について示してある。図示のように、ビーム選択では、リソースブロック選択（図中点線□，○，△）よりも複数リソースブロック全てを用いた５ＭＨｚ選択時（図中実線■，●，▲）のほうが、特性が良好となった。なおこの図には、基準となる特性として、１×２（送信アンテナ１、受信アンテナ２で、１ストリームを伝送）と、２×２（送信アンテナ２、受信アンテナ２で、２ストリームを伝送）も、あわせて示している（図中１点鎖線）。
【００４９】
そして、図１２に示すアンテナ選択では、リソースブロックごとの選択を行ったほうが、送信選択ダイバーシチ効果により、最大１ｄＢ程度良い特性となった。逆に、図１３に示すビーム選択では、５ＭＨｚ帯域全体での選択のほうが、リソースブロックごとのビーム選択よりも、最大約１ｄＢ特性が良いことがわかる。これはビーム選択のコヒーレント帯域が、リソースブロックの周波数幅よりも広いため、複数のリソースブロックのＳＩＮＲを平均して最適なビームを選択することで、高精度なビーム選択が行えたためであると考えられる。
【００５０】
言い換えると、アンテナ選択では多少選択精度が悪くても、エネルギーは到達しているため、通信品質の低下が起こるだけであるが、ビーム選択で選択を誤ると、エネルギー自体がほとんど到達しなくなり、より高精度なビーム選択が求められる。なお、ビーム選択の高精度化は、上述した本発明のウェイト決定およびフィードバック情報の伝送の手法により、達成できている。したがって、基地局１００では、ビーム選択だけを行うのではなく、アンテナ選択も行えるよう、両者を切り替えできることが望ましい。
【００５１】
図１４は、アンテナ選択時におけるフィードバック情報の伝送方法を示す図である。既存の手法を用いたフィードバック情報の伝送方法である。図示のように、移動局１５０は、リソースブロックごとにビーム測定を行ってフィードバック情報を生成し、伝送路を介して基地局１００に伝送する。伝送路上のフィードバック情報の内容は、リソースブロックごとに異なる。基地局１００は、アンテナ選択時には、リソースブロックごとに独立してフィードバック情報を処理する。
【００５２】
一方、ビーム選択時には、基地局１００は、図１０および図１１に示したように、複数のリソースブロックごとに伝送されてきたフィードバック情報を合成処理する。図１０と図１４とを対比すると、基地局１００におけるフィードバック情報の処理が独立であるか合成であるかの点で異なる。このように、基地局１００は、受信したリソースブロックごとのフィードバック情報の受信処理を、アンテナ選択時にはリソースブロックごとに独立して行う一方、ビーム選択時には、リソースブロックごとに送られたフィードバック情報を合成処理するように、機能を切り替えることにより、双方の利点を活かし、伝送品質を向上させたデータ送信が行えるようになる。
【００５３】
（フィードバック情報の受信処理１）
図１５は、フィードバック情報の受信処理内容を示すフローチャートである。上述した移動局１５０でのウェイト決定方法１（図４参照）に対応して図１に示した基地局１００のフィードバック情報処理部１１０が行う合成処理を示している。フィードバック情報は、ＱＡＭ等の変調方式により複数の変調信号点を有して送信される構成である。これにより、フィードバック情報を多重化し、スループットを向上できる。
【００５４】
はじめに、移動局１５０からのフィードバック情報を受信する（ステップＳ１５０１）。次に、各リソースブロック（ＲＢ）のフィードバック情報の変調信号点を抽出する（ステップＳ１５０２）。そして、全て、または複数のリソースブロック（ＲＢ）の変調信号点を合成する（ステップＳ１５０３）。
【００５５】
この後、合成信号点の復調および復号を行い（ステップＳ１５０４）、フィードバック値の判定を行う（ステップＳ１５０５）。この際、合成したリソースブロックで一つのウェイトを判定する。そして、合成したリソースブロック（ＲＢ）の送信ウェイトに適用し、データ送信する（ステップＳ１５０６）。具体的には、制御部１０６は、判定したウェイトをコードブック１０２に適用し、合成したリソースブロック（ＲＢ）の送信ビームのビーム選択を行い、移動局１５０に向けてデータ送信を行う。
【００５６】
（フィードバック情報の受信処理２）
図１６は、フィードバック情報の受信処理内容を示すフローチャートである。上述した移動局１５０でのウェイト決定方法３（図７参照）に対応して図１に示した基地局１００のフィードバック情報処理部１１０が行う合成処理を示している。
【００５７】
フィードバック情報は、ＱＡＭ等の変調方式により複数の変調信号点を有して送信される構成である。はじめに、移動局１５０からのフィードバック情報を受信する（ステップＳ１６０１）。次に、各リソースブロック（ＲＢ）のフィードバック情報の変調信号点を抽出する（ステップＳ１６０２）。そして、ターゲットのリソースブロック（ＲＢ）の変調信号点を合成する（ステップＳ１６０３）。この後、合成信号点の復調および復号を行い（ステップＳ１６０４）、フィードバック値の判定を行う（ステップＳ１６０５）。この際、合成したリソースブロックで一つのウェイトを判定する。
【００５８】
そして、ターゲットとなるリソースブロック（ＲＢ）の全てに対する処理が終了か判断し（ステップＳ１６０６）、終了していなければ（ステップＳ１６０６：Ｎｏ）、ステップＳ１６０３に戻る。ターゲットとなるリソースブロック（ＲＢ）の全てに対する処理が終了すれば（ステップＳ１６０６：Ｙｅｓ）、合成したリソースブロック（ＲＢ）の送信ウェイトに適用し、データ送信する（ステップＳ１６０７）。具体的には、制御部１０６は、判定したウェイトをコードブック１０２に適用し、合成したリソースブロック（ＲＢ）の送信ビームのビーム選択を行い、移動局１５０に向けてデータ送信を行う。
【００５９】
（フィードバック情報の受信処理３）
図１７は、フィードバック情報の受信処理内容を示すフローチャートである。上述した移動局１５０でのウェイト決定方法１（図４参照）に対応して図１に示した基地局１００のフィードバック情報処理部１１０が行う多数決処理を示している。
【００６０】
フィードバック情報は、ＱＡＭ等の変調方式により複数の変調信号点を有して送信される構成である。はじめに、移動局１５０からのフィードバック情報を受信する（ステップＳ１７０１）。次に、各リソースブロック（ＲＢ）のフィードバック情報の変調信号点を抽出する（ステップＳ１７０２）。そして、リソースブロック（ＲＢ）ごとの信号点の復調および復号を行う（ステップＳ１７０３）。
【００６１】
この後、全て、または複数のリソースブロック（ＲＢ）の復号結果を、多数決でフィードバック値の判定を行う（ステップＳ１７０４）。この際、多数決で一つのウェイトを判定する。そして、合成したリソースブロック（ＲＢ）の送信ウェイトに適用し、データ送信する（ステップＳ１７０５）。具体的には、制御部１０６は、判定したウェイトをコードブック１０２に適用し、合成したリソースブロック（ＲＢ）の送信ビームのビーム選択を行い、移動局１５０に向けてデータ送信を行う。
【００６２】
（フィードバック情報の受信処理４）
図１８は、フィードバック情報の受信処理内容を示すフローチャートである。上述した移動局１５０でのウェイト決定方法３（図７参照）に対応して図１に示した基地局１００のフィードバック情報処理部１１０が行う多数決処理を示している。
【００６３】
フィードバック情報は、ＱＡＭ等の変調方式により複数の変調信号点を有して送信される構成である。はじめに、移動局１５０からのフィードバック情報を受信する（ステップＳ１８０１）。次に、各リソースブロック（ＲＢ）のフィードバック情報の変調信号点を抽出する（ステップＳ１８０２）。そして、リソースブロック（ＲＢ）ごとの信号点の復調および復号を行う（ステップＳ１８０３）。この後、ターゲットのリソースブロック（ＲＢ）を中心とした複数のリソースブロック（ＲＢ）の復号結果を、多数決でフィードバック値の判定を行う（ステップＳ１８０４）。この際、リソースブロックごとに多数決で一つのウェイトを判定する。
【００６４】
そして、ターゲットとなるリソースブロック（ＲＢ）の全てに対する処理が終了か判断し（ステップＳ１８０５）、終了していなければ（ステップＳ１８０５：Ｎｏ）、ステップＳ１８０４に戻る。ターゲットとなるリソースブロック（ＲＢ）の全てに対する処理が終了すれば（ステップＳ１８０５：Ｙｅｓ）、合成したリソースブロック（ＲＢ）の送信ウェイトに適用し、データ送信する（ステップＳ１８０６）。具体的には、制御部１０６は、判定したウェイトをコードブック１０２に適用し、合成したリソースブロック（ＲＢ）の送信ビームのビーム選択を行い、移動局１５０に向けてデータ送信を行う。
【００６５】
以上説明した受信処理のうち、合成処理によれば、伝送路を介して伝送される複数のフィードバック情報を合成するため、フィードバック情報の信号誤りを低減できるようになる。また、多数決処理によれば、伝送路を介して伝送される複数のフィードバック情報の内容の正確性を向上できるようになる。
【００６６】
（フィードバック情報の受信処理５）
図１９は、フィードバック情報の受信処理を示す構成のブロック図である。基地局１００における制御部１０６により、フィードバック情報を時間平均化する構成を示したものである。制御部１０６に設けられるフィードバック情報処理部１１０は、上述したフィードバック情報の受信処理１〜４を実行する。そして、図示のように、フィードバック情報処理部１１０の出力を受ける他の構成としては、時間平均化部１２１と、ウェイト制御部１２２と、ストリーム制御部１２３とを有する。
【００６７】
時間平均化部１２１は、フィードバック情報処理部１１０の出力を時間平均化する。具体的には、フィードバック情報として受信処理した後のフィードバック値（ウェイト）を所定時間単位で平均化する。ウェイト制御部１２２は、時間平均化部１２１で時間平均化されたウェイトを適用してコードブック１０２の読み出しを制御する。ストリーム制御部１２３は、フィードバック情報に含まれるストリーム数に基づいて、送信するデータストリームのストリーム数をシングル（ストリーム数１）またはマルチ（ストリーム数２以上）に制御する。
【００６８】
図２０は、フィードバック情報の受信処理を示すフローチャートである。上述した受信処理１〜４による受信処理のステップ（概要をステップＳ２００１〜Ｓ２００４に記載）を実行した後、得られたフィードバック値を時間平均化処理する（ステップＳ２００５）。そして、合成したリソースブロック（ＲＢ）の送信ウェイトに適用し、データ送信する（ステップＳ２００６）。
【００６９】
このように、時間平均化処理することにより、フィードバック情報の内容を所定時間単位で判定するため、伝送路の伝送状態の変動を受けにくくなり、コードブック１０２の読み出しに適用するウェイトの値を正確に得ることができ、ビーム選択の精度を向上できるようになる。
【００７０】
以上説明した各実施の形態では、複数のユーザのデータをマルチビームでビーム選択して送信するプリコーディングＭＩＭＯの構成を例に説明した。これに限らず、ある一人のユーザのデータをシングルストリームで入力させ、ビームフォーミングして送信する構成にも適用することができる。また、ＭＩＭＯの適用が最も有力視されている多元接続方式のＯＦＤＭＡについて、そのリソースブロック（ＲＢ）である周波数ブロックを例に説明した。これに限らず、その他の多元接続方式であるＦＤＭＡ（周波数分割多元接続）、ＴＤＭＡ（時分割多元接続）、ＣＤＭＡ（符号分割多元接続）などにもリソースブロック（ＲＢ）の概念を拡張することができ、そのときのリソースブロック（ＲＢ）に対応するものとして、ＦＤＭＡでは周波数、ＴＤＭＡではタイムスロット、ＣＤＭＡでは拡散符号として、適用することができる。
【産業上の利用可能性】
【００７１】
以上のように、本発明にかかる無線通信装置および無線通信方法は、ビーム選択を行い送信する無線通信システムに有用であり、特に、プリコーディングＭＩＭＯによる無線通信装置に適している。
【図面の簡単な説明】
【００７２】
【図１】本発明の実施の形態による無線通信装置を示すブロック図である。
【図２】移動局の無線通信装置の部分構成を示す図である。
【図３】ウェイト決定の処理内容を示す図である。
【図４】移動局によるウェイト決定の処理内容を示すフローチャートである。
【図５】リソースブロックごとのウェイト決定の処理内容を示す図である。
【図６】リソースブロックごとのウェイト決定の処理内容を示す図である。
【図７】移動局によるウェイト決定の処理内容を示すフローチャートである。
【図８】リソースブロックごとのウェイト決定の処理内容を示す図である。
【図９】リソースブロックごとのウェイト決定の処理内容を示す図である。
【図１０】フィードバック情報の伝送方法を示す図である。
【図１１】フィードバック情報の伝送方法を示す図である。
【図１２】一般的なアンテナ選択時のＢＬＥＲのシミュレーション特性を示す図である。
【図１３】ビーム選択時のＢＬＥＲのシミュレーション特定を示す図である。
【図１４】アンテナ選択時におけるフィードバック情報の伝送方法を示す図である。
【図１５】フィードバック情報の受信処理内容を示すフローチャートである。
【図１６】フィードバック情報の受信処理内容を示すフローチャートである。
【図１７】フィードバック情報の受信処理内容を示すフローチャートである。
【図１８】フィードバック情報の受信処理内容を示すフローチャートである。
【図１９】フィードバック情報の受信処理を示す構成のブロック図である。
【図２０】フィードバック情報の受信処理を示すフローチャートである。
【図２１】ＯＦＤＭＡのリソースブロックを表す図である。
【図２２】従来の無線通信システムを示すブロック図である。
【図２３】従来のウェイト決定方法を示す図である。
【符号の説明】
【００７３】
１００  基地局
１０１  プリコーダ
１０２  コードブック
１０３  加算部
１０４  送信部
１０５  アンテナ
１０６  制御部
１１０  フィードバック情報処理部
１２１  時間平均化部
１２２  ウェイト制御部
１２３  ストリーム制御部
１５０  移動局
１５１  アンテナ
１５２  チャネル推定部
１５３  復調器
１５４  コードブック
１５５  ビーム測定部
１５６  選択部
【国際調査報告】
2008032358.tif 000026
2008032358.tif 000027
2008032358.tif 000028
2008032358.tif 000029